(57)【要約】【課題】無線充電システムを提供する。【解決手段】本発明の装置は、アンテナコンポーネントと、アンテナコンポーネントを通して第１の装置に無線で送信される電力を送信し、第１の装置が電力を受信して第１の装置の電源を充電することができる送信機であって、第１の装置に電力を提供するのと同時に第２の装置に電力を送信するように動作可能な送信機と、送信機の電力を制御するための命令を実行するように動作可能な制御装置とを備える。【選択図】図１
2016182035.tif 000002
【特許請求の範囲】
【請求項１】
アンテナコンポーネントと、
前記アンテナコンポーネントを通して第１の装置に無線で送信される電力を送信し、前記第１の装置が前記電力を受信して前記第１の装置の電源を充電することができる送信機であって、前記第１の装置に電力を提供するのと同時に第２の装置に電力を送信するように動作可能な前記送信機と、
前記送信機の前記電力を制御するための命令を実行するように動作可能な制御装置とを備える、装置。
【請求項２】
前記制御装置が、前記第１及び第２の装置の電力充電レベルを設定するための命令を実行するように動作可能である、請求項１に記載の装置。
【請求項３】
前記制御装置が、前記第１又は第２の装置のうちの少なくとも１つの充電プロファイルを検出するための命令を実行するように動作可能である、請求項１又は請求項２のいずれかに記載の装置。
【請求項４】
前記第１及び第２の装置が、前記アンテナコンポーネントの放射領域の中に存在する、請求項１に記載の装置。
【請求項５】
前記放射領域が５フィート以上の半径を有する、請求項４に記載の装置。
【請求項６】
前記放射領域が５フィート以下の半径を有する、請求項４に記載の装置。
【請求項７】
前記制御装置が、前記放射領域の半径を調整するように動作可能である、請求項４に記載の装置。
【請求項８】
前記アンテナコンポーネントが複数のアンテナを備える、請求項１に記載の装置。
【請求項９】
前記第１又は第２の装置が、スマートフォン、ファブレット、電子書籍リーダ、小型タブレット、スマートフォンアクセサリ、充電スリーブ、ウェアラブルフィットネストラッカー、スマートウォッチ、ウェアラブルコンピューティングデバイス、コンピュータアクセサリ、ワイヤレスキーボード、マウス、リモートコントロール装置、ホームデバイスネットワーク、ホームセンサ、オフィスセンサ、商用ワイヤレスセンサ、ゲーミングコントローラー、ＬＥＤ照明装置、又はバッテリ駆動式子供用玩具のうちの少なくとも１つである、請求項１に記載の装置。
【請求項１０】
第１及び第２の装置の電力充電レベルを設定するステップと、
前記第１の装置及び第２の装置に同時に電力を無線で送信するように送信機を有効にするステップと、
前記の設定された電力充電レベルに従って前記第１及び第２の装置に同時に電力を無線で送信するステップとを含む、方法。
【請求項１１】
前記送信機に接続されたアンテナコンポーネントと関連付けられた放射領域の半径を調整するステップを含む、請求項１０に記載の方法。
【請求項１２】
前記第１又は第２の装置のうちの少なくとも１つの充電プロファイルを検出するステップを含む、請求項１０から請求項１１のいずれか一項に記載の方法。
【請求項１３】
前記の検出された充電プロファイルに従って前記第１又は第２の装置のうちの少なくとも１つの前記電力充電レベルを調整するステップを含む、請求項１２に記載の方法。
【請求項１４】
実行された場合に方法の請求項１０から請求項１３のいずれか一項に記載の動作をプロセッサに実行させる命令を有するコンピュータプログラム。
【請求項１５】
アンテナコンポーネントと、
前記アンテナコンポーネントを通して第１の装置に無線で送信される電力を生成し、電力を増減するために制御装置から制御要求を受信することができ、前記第１の装置が前記電力を受信して前記第１の装置の電源を充電することができる送信機であって、前記第１の装置に電力を提供するのと同時に第２の装置に電力を送信するように動作可能な前記送信機とを備える、装置。
【請求項１６】
前記第１及び第２の装置が、前記アンテナコンポーネントの放射領域の中に存在し、
前記放射領域の半径が、前記制御装置により制御されることができる、請求項１５に記載の装置。
【請求項１７】
装置の請求項５、請求項６、請求項８、及び請求項９のいずれか一項に従う、請求項１５に記載の装置。
【請求項１８】
アンテナコンポーネントと、
前記アンテナコンポーネントを通して第１の装置に無線で送信される電力を生成し、電力を増減するために制御要求を受信することができる送信機であって、前記第１の装置に電力を提供するのと同時に第２の装置に電力を送信するように動作可能な前記送信機とを備える、装置。
【請求項１９】
装置の請求項４から請求項９のいずれか一項に従う、請求項１８に記載の装置。
【請求項２０】
請求項１４に記載のコンピュータプログラムを記憶したコンピュータ読み取り可能な記憶媒体。
【発明の詳細な説明】
【技術分野】
【０００１】
本発明の開示された実施例は、一般に、電気エネルギー伝送に関し、さらに特に、無線電力伝送に関する。
【背景技術】
【０００２】
たくさんの人々が数多くの携帯電話、タブレット、カメラ、携帯用のゲーム機、及び同様の装置をより大規模なサービスにつぎ込んだので、既に世界の大部分の至る所で広く用いられている携帯型電子装置は、普及率の更なる増加を見そうである。大部分のそのような装置は、定期的間隔で再充電される必要があるバッテリ又は同様のエネルギー貯蔵デバイスによって電力を供給される。電源コードによって電源コンセントに接続されることを携帯型装置に要求する、より従来のシステムと比較して、現存する無線再充電システムは、（より大きな利便性のような）潜在的な利点を提供するが、しかし、そのような利点の実現を制限するいろいろな実施の問題に直面する。
【０００３】
開示される実施例は、図面における添付の図と併せて下記の詳細な説明を閲覧することで更によく理解されることになる。
【図面の簡単な説明】
【０００４】
【図１】本発明の実施例による無線充電システムの概略図である。
【図２ａ】本発明の実施例による外装筐体内に収容された無線充電システムの側面図である。
【図２ｂ】本発明の実施例による外装筐体内に収容された無線充電システムの側面図である。
【図３】本発明の別の実施例による図１の無線充電システムの概略図である。
【図４】本発明の別の実施例による無線充電システムの正面図である。
【発明を実施するための形態】
【０００５】
実装例の簡潔性及び明瞭性のために、図面は、構造の一般的な様式を例示し、本発明の説明された実施例に関する議論を必要以上に不明瞭にすることを避けるために、既知の特徴と技術の説明及び詳細は省略され得る。さらに、図面における要素は、一定の比率で必ずしも描かれるとは限らない。例えば、図におけるいくつかの要素の寸法は、本発明の実施例の理解を向上させるのを助けるために、他の要素と比較して誇張されているかもしれない。例えば、現実の状況のもとではかなりあまり対称的でなくかつ整然としていないであろうと思われる構造が、直線、鋭角、及び／又は平行平面などを有していることを示されるような場合、いくつかの図は理解を助けるために理想的な方法で示され得る。異なる図における同じ参照符号は同じ要素を意味し、一方同様の参照符号は必ずしもそうではないが同様の要素を意味し得る。
【０００６】
説明及び特許請求の範囲における“第１の”、“第２の”、“第３の”、“第４の”などの用語は、必ずしも特定の順次的な又は年代順の順番を示すためだけでなく、同様の要素を区別するために、もしあれば使用される。そのように使用される用語は、例えば、ここで説明された本発明の実施例が、ここで例示された、又はそうでなければ説明された順序以外の順序で動作可能であるように、適切な状況の下で交換可能である、ということが理解されるべきである。同様に、もし方法がここで一連のステップを含むものとして説明されるならば、ここに現れたそのようなステップの順番は、必ずしもそのようなステップが実行され得る唯一の順番であるとは限らず、提示されたステップのうちのいくつかが場合により省略され得るか、及び／又はここで説明されないいくつかの他のステップが場合により方法に対して追加され得る。さらに、“備える（comprise：含む）”、“含む（include：包含する）”、“有する”という用語、及びそれらのあらゆる変形は、要素のリストを含む処理、方法、物品、及び装置が、それらの要素に必ずしも限定されるとは限らないが、しかしそのような処理、方法、物品、及び装置に明確に記載されていない他の要素、又はそのような処理、方法、物品、及び装置に固有の他の要素を含み得るように、非排他的な包含をカバーすることを意図している。
【０００７】
説明及び特許請求の範囲における“左”、“右”、“前”、“後”、“上部”、“下部”“上の”、“下の”などの用語は、必ずしも永久的な相対的位置を説明するためだけでなく、そうでなければ明確に又は文脈によって示されない限り、記述的な目的のために、もしあれば使用される。そのように使用される用語は、例えば、ここで説明された本発明の実施例が、ここで例示された、又はそうでなければ説明された幾何学的配置以外の幾何学的配置で動作可能であるように、適切な状況の下で交換可能である、ということが理解されるべきである。ここで使用される“連結される”という用語は、電気的又は非電気的な方法において直接的又は間接的につながっていると定義される。お互いに“隣接している”とここで説明される物体は、その言い回しが使用される文脈に応じて適切に、お互いと物理的接触状態にあり得るか、お互いと極めて接近した状態にあり得るか、又はお互いと同じ一般的な範囲又は領域に存在し得る。ここでの“一実施例における”という言い回しの存在は、必ずしも同じ実施例を全て参照するとは限らない。
【０００８】
本発明の一実施例において、無線充電システムは、システムオンチップ（ＳｏＣ）と、エネルギー伝送ユニットと、ソフトウェアプロトコルとを含むマイクロ電子パッケージを備える。ＳｏＣは、処理装置と、処理装置に連結されたメモリ装置と、処理装置及びメモリ装置に連結された通信装置とを備える。通信装置は、外部電子装置と無線で通信することが可能である。エネルギー伝送ユニットは、エネルギーを外部電子装置に伝送することが可能である。ソフトウェアプロトコルは、メモリ装置に実装され、外部電子装置の充電プロファイルを検出することが可能であり、充電プロファイルの必要条件に従ってエネルギー伝送ユニットのパラメータを調整することが可能である。
【０００９】
携帯型電子装置は、有限の電池寿命を有し、したがって頻繁に再充電されなければならない。もし有線による再充電が使用されるならば、その場合に、人は、増大したケーブルの音、充電場所に関しての柔軟性の欠如（電源コードがコンセントにつながれる場所で再充電しなければならない）、電源コードが利用できない時又は場所で再充電する潜在的な必要性など、電源コードを用いることにより起こる様々な不便を受け入れなければならない。無線充電スキームは、これらの問題のいくつかを克服するが、しかし、これらの問題を、無線再充電器と携帯型装置との間の潜在的な不適合性、美的問題、及び有線のシステムと同様の充電場所の柔軟性の潜在的な欠如を含む他の潜在的な欠点と置き換える。下記で詳細に説明されることになるように、本発明の実施例は、拡張された充電ゾーン、埋め込まれた又は装飾的なシステムコンポーネント、高性能の通信プロトコル、及び他の潜在的な利点を有効にすることによって、上述及び他の問題に対処する。
【００１０】
ここで図を参照すると、図１は、本発明の実施例による無線充電システム１００の概略図である。図１において例示されたように、無線充電システム１００は、ＳｏＣ１２０を有するマイクロ電子パッケージ１１０を含む無線充電ユニット１０１を備える。ＳｏＣは、処理装置１２１と、処理装置に連結されたメモリ装置１２２と、処理装置及びメモリ装置に連結された通信装置１２３とを備える。
【００１１】
処理装置１２１は、あらゆる種類の集積回路（ＩＣ）装置を含み得る。一実施例において、処理装置は、（シングルコア又はマルチコアのいずれかの）処理システムを含む。例えば、処理装置は、マイクロプロセッサ、シグナルプロセッサ、ネットワークプロセッサ、チップセットなどを含み得る。一実施例において、処理装置それ自身は、複数の機能ユニット（例えば、１つ又は複数の処理ユニット、１つ又は複数の通信ユニット、１つ又は複数の信号処理ユニット、１つ又は複数のセキュリティユニットなど）を有する（ＳｏＣ１２０とは別の）ＳｏＣを備える。しかしながら、開示された実施例はあらゆる特定の種類又はクラスのＩＣ装置に限定されないということが理解されるべきである。
【００１２】
メモリ装置１２２は、あらゆる種類のソリッドステートのメモリ装置／アレイを含み得る。一実施例において、メモリ装置は、電力がシステムから取り除かれた後で情報を保持するメモリ（すなわち、不揮発性メモリ又は固定記憶装置）のみを含む。例えば、メモリ装置／アレイは、ＭＬＣ、ＳＬＣなどのような、あらゆる種類のフラッシュメモリであるかもしれず、それは、同様に、あらゆる種類の相変化メモリ（ＰＣＭ）又は磁気ランダムアクセスメモリ（ＭＲＡＭ）であるかもしれない。別の実施例において、メモリは、不揮発性ソリッドステートメモリ装置と揮発性メモリ装置（ソリッドステート）の組み合わせである。例えば、これは、フラッシュ、ＰＣＭ、ＭＲＡＭ（不揮発性）、及びＤＲＡＭの組み合わせとすることもでき、ここで、ＤＲＡＭは、ＳｏＣ／処理装置のメモリ制御器によりサポートされる、あらゆる種類のＤＲＡＭであり得る。
【００１３】
通信装置１２３は、ＷｉＦｉ（ＩＥＥＥ８０２．１１ｂ／ｇ／ｎ又は他の次世代の実装例）、ブルートゥース（登録商標）、３Ｇ、ＬＴＥ、ＷｉＭＡＸ、又は装置間の情報転送のために使用され得る他の通信プロトコルのような、しかしそれらに限定されない、１つ又は複数の通信プロトコルをサポートする、あらゆる種類の無線ラジオ装置、又はラジオ装置のあらゆる組み合わせを備え得る。
【００１４】
ソフトウェアプロトコル１２７は、メモリ装置１２２に実装される。ソフトウェアプロトコルは、外部電子装置の充電プロファイルを検出することが可能であり、充電プロファイルの必要条件に従ってエネルギー伝送ユニットのパラメータを調整することが可能である。例えば、エネルギー伝送ユニットのパラメータは、単位体積当たりのエネルギー伝送の時間速度が外部電子装置の充電プロファイルの必要条件に従ってソフトウェアプロトコルにより変更され得ることを意味している、その電力密度とすることができるであろう。実際には、電力密度は、電圧及び電流の振動範囲（swing）により、電力（ｐ）＝電圧（ｖ）×電流（ｉ）、すなわちｐ（ｔ）＝ｖ（ｔ）×ｉ（ｔ）として決定されることになり、それは、下記でさらに詳述されるように、充電を最適化するために調整され得るいくつかのパラメータを暗示する。
【００１５】
外部電子装置の充電プロファイルは、外部電子装置内のバッテリ（又は他のエネルギー貯蔵デバイス）の再充電に影響を及ぼす全てのパラメータのセットであるとともに、少なくとも概念的に、周波数、電圧振動範囲、電圧振幅（amplitude）、電流振動範囲、電流振幅、エネルギー伝送ユニットにより出力され、外部電子装置により受信される波形の形（すなわち、正弦、のこぎり歯、矩形など）を少なくとも含む（エネルギーが分散性媒体を通過するので波形が幾分変わるであろうが、全ての実用的な目的のために、エネルギー伝送ユニットにより出力される波形は外部電子装置により受信される波形と同じであるとみなされ得る）。とりわけ、充電プロファイルの他の必要条件は、最大充電容量のパーセンテージ（percentage：割合）、及び最適充電率（すなわち、エネルギー伝送の速度）を含み得る。多くの場合、しかし必ず常にではなく、最適充電率は、最大の可能な充電率になるであろう。
【００１６】
通信装置は、外部電子装置１３０（装置１３０が無線充電システム１００から分離しているということの表示として点線で示される）を含む外部装置と、無線で通信することが可能である。一例として、外部電子装置１３０は、スマートフォン又は他のセルラー電話、タブレット、電子読取装置、ＭＰ３プレーヤ又は他の音楽プレーヤなどであり得る。図示しないが、しかし、同様にＳｏＣ１２０又はマイクロ電子パッケージ１１０の一部分であるのは、（送電のため（すなわちインダクタ）及び通信のための両方の）１つ又は複数のアンテナ、ラジオ、電圧調整器、電源スイッチ、及び無線電力伝送のための回路構成（例えば、電力増幅器モジュールなど）である。
【００１７】
通信装置１２３により使用される通信プロトコルは、ブルートゥース（登録商標）、ＷｉＦｉ、３Ｇ、ＬＴＥ、ＷｉＭＡＸ、又は無線装置により使用され得るあらゆる他の通信プロトコルであり得る。外部装置と通信する能力は、無線充電システム１００が、ソフトウェア、ドライバなどに対する更新を無線により（over-the-air）受け取り、したがってシステム寿命を拡張し、利便性及び使い易さを増大させることができる、ということを意味する。
【００１８】
無線充電ユニット１０１は、エネルギーを外部電子装置に伝送することが可能であるエネルギー伝送ユニット１４０を更に備える。外部電子装置１３０は、エネルギー伝送ユニット１４０により放出されるエネルギーにより充電されることが可能でなければならず、言い換えれば、外部電子装置１３０は、エネルギー伝送ユニット１４０に対する外部電子装置１３０自身の対応物を必要とし、対応物は、電力伝送のための受信機及びアンテナ（すなわち、恐らく外部電子装置のケースに組み込まれるインダクタ）を少なくとも備え得る、という点に注意を要する。受信機は、電力受け取りのための付加的な電圧調整器／電力調整器、及びアンテナを備え得る。いくつかの実施例において（しかし全てではなく−下記参照）、無線充電ユニットがＡ／Ｃ電力の電源のような電源に接続され得るように、無線充電システムは電源コード（図示せず）を更に備える。
【００１９】
一実施例において、エネルギー伝送ユニット１４０は、直接誘導（direct  induction）又は共振磁気誘導（resonant  magnetic  induction）の原理に従って動作し得る誘導充電ユニットを備える。他の実施例において、エネルギー伝送ユニットは、マイクロ波放射、レーザエネルギー、又は他の形式の電磁放射を用いて動作し得る。エネルギー伝送ユニット１４０は、エネルギー伝送ユニットから外部電子装置１３０にエネルギーが伝送され得るエネルギー伝送ゾーンを生成することが可能である。様々な実施例において、そして、他の要因の間では、エネルギー伝送ユニットの周辺の又は近傍における材料−又はユニットが埋め込まれるかもしれない材料−の性質に応じて、エネルギー伝送ゾーンは、約１センチメートル若しくは２センチメートルの、少なくとも１０センチメートルの、又は１００センチメートル若しくはそれ以上の半径を有し得る。
【００２０】
エネルギー伝送ユニット１４０は、複数のエネルギー伝送サブユニット１４１を備えることができ、複数のエネルギー伝送サブユニット１４１のうちの各１つは、エネルギー伝送ユニット１４０内の他のエネルギー伝送サブユニットから独立して（しかし、同時に）、外部電子装置１３０に、又は異なる外部電子装置（図示せず）に、エネルギーを伝送することが可能である。ソフトウェアプロトコルは、複数の外部電子装置のうちのいずれかの充電プロファイルを検出することが可能であり、充電プロファイルのうちのいずれか１つの必要条件に従って、エネルギー伝送サブユニットのそれぞれのパラメータを調整することが可能である。言い換えれば、単一のエネルギー伝送ユニットは、複数の装置のバッテリを充電することができ、そして各装置に関して最適化された方法でバッテリを充電することができる。
【００２１】
いくつかの実施例において、無線充電システム１００は、机の上、棚の上、又は同様の場所に設置され得る独立型ユニットであり得る。他の実施例において、無線充電システムは、マイクロ電子パッケージ及びエネルギー伝送ユニットを完全に収容する外装筐体を更に備える。後者の実施例スタイルの実例は、図２ａ及び図２ｂにおいて示される。図２ａにおいて、無線充電ユニット１０１は、外装筐体としての役割を果たす花びん２１０の中に埋め込まれるか、又は花びん２１０の内部に設置される。図２ｂにおいて、外装筐体は、従来のマットレス２３０の上に位置するマットレスパッド２２０であり、その両方共がベッドフレーム２４０の上に置かれている。その代りに、無線充電ユニット１０１は、ベッドフレーム２４０の中に埋め込まれ得る。別の（例示されない）代替案は、無線充電システムをマットレス２３０の中に埋め込み、そしてマットレスパッドなしで済ませることである。必要に応じて、無線充電システムは、これらの若しくは同様の位置の２つ以上において、又はこれらの若しくは同様の位置の全てにおいて、設置され得る。言うまでもなく、多くの他の外装筐体の可能性が、図２ａ及び図２ｂで描写された外装筐体を越えて存在する。これらの他の筐体の可能性のいくつかの実例は、ドアフレームと、天井と、壁と、家及び他の建物の他の構造部材、図２ａで示された花びんと同様の様々な装飾的な家庭用の品物のうちのいずれか、マウスパッドと、オフィス用椅子（例えば、ひじ掛け内に）と、机の引き出しと、他のオフィス用設備又は備品、カウチ（couche：ソファー）と、椅子と、寝室用ランプと、コーヒーテーブルと、他の家具部分、そして車両のドア、ダッシュボードなどである。
【００２２】
図３は、本発明の別の実施例による無線充電システム１００の概略図である。図３において例示されたように、無線充電システム１００は、外部電子装置１３０に電気的に連結されることが可能である電線３１１を含む誘導充電ユニット３１０を更に備える。さらに下記で論じられるように、ある距離にわたる無線充電が実行可能ではない所で、図３のシステムは、とりわけ有益であり得る。しかしながら、（上記の図１の実施例を含む）他の実施例において、無線充電システム１００は、図３において示された追加の構成要素を含まず、いくつかの実施例において、単に無線充電ユニット１０１と同様の（又は無線充電ユニット１０１と同じ）無線充電ユニットから構成され得る、ということが理解されるべきである。
【００２３】
図３の実施例において、誘導充電ユニット３１０は、エネルギー伝送ユニット１４０（上記で言及されたように、それ自身誘導充電ユニットであり得る）から無線でエネルギーを受け取ることが可能である。様々な実施例において、誘導充電ユニット３１０は装着可能であり、それは人間の身体の一部分に装着されることが可能であることを意味する。例示された実施例において、誘導充電ユニット３１０は、人の指の先端に取り付けられるように設計されている中空の丸みを帯びたキャップである。
【００２４】
人の手及び腕により達成できる広範囲の動作は、そのような充電ユニットが、容易にエネルギー伝送ユニット１４０と接触して設置されるか、又は容易にエネルギー伝送ユニット１４０と極めて接近している状態になり、したがってそこからエネルギーを受け取ることを可能にする。実例が、下記で与えられることになる。指キャップが不都合であるような他の実施例において、誘導充電ユニット３１０は、リング、アームバンド、ネックレス、ヘッドバンド、ブレスレット、身体に貼られる装着可能パッチなどの場合のように、身体上のどこか別の場所に装着されるように設計されることができるであろう。
【００２５】
図３の実施例において、外部電子装置１３０は、スマートフォン、タブレット、若しくは図１に関連して上記で説明された同様の装置であり得るか、又は外部電子装置１３０は、ゲームコントローラ、拡張現実感装置（augmented  reality  device）、携帯用ナビゲーション装置などとすることができるであろう。外部電子装置１３０は、さらに、ペースメーカー、インスリンポンプなどのような、人の身体の中に埋め込まれた電子装置であり得るか、又は外部電子装置１３０は、例えばシャツ又はジャケットに織り込まれた電子装置、若しくはそうでなければ、衣類、財布などの品物に組み込まれた電子装置のような、装着可能な電子アイテムとすることができるであろう。
【００２６】
外部電子装置１３０が、電線又は他の部品が突き出すことなく人の身体の中に埋め込まれたペースメーカーである実例を検討する。ペースメーカーは、それ自身の（身体に埋め込まれた）無線受信機、及び身体の外側に心臓に極めて接近している状態で配置された電力をペースメーカーに供給する関連する電力パッドを有する。電力パッドは、定期的に再充電される必要があるであろう。不便であるか、もしくは不可能であるかもしれない、パッドを再充電するためにパッドを取り外すことよりむしろ、指キャップをエネルギー伝送ユニット１４０にあてる（又は指キャップをエネルギー伝送ユニット１４０の近くに持って行く）ことにより容易に獲得されることができるであろうエネルギーを、電線３１１に沿って指キャップからパッドに転送することによって、人はパッドを再充電することができるであろう。指キャップは、したがって、人の身体又は衣類上の異なる位置まで電線により電力が伝送され得る無線電源コンセントの役割を果たす。明らかに、胸の上のポイントで電源（ユニット１４０）に触れるであろうより、指先で電源（ユニット１４０）に触れることは、はるかに容易であり、そのような接触（又は接触に近いもの）が必要な場合に、図３の実施例は申し分なく非常に有益であり得る。
【００２７】
言及されたように、誘導充電ユニット３１０は、エネルギー伝送ユニット１４０から無線でエネルギーを受け取ることが可能である。実際には、そしてさらに図３の実施例を参照すると、誘導充電ユニット３１０は、無線充電ユニット１０１と接触して設置され得るとともに、充電ユニットからエネルギーを無線で受け取り得る。そのようなシステムが有益であり得る別の文脈は、それが装着可能な充電ステーション（例えば、衣類に組み込まれたバッテリ）を充電するために使用される場合であり、そのようなシステムは、古いか、又は旧式であるか、又は他の理由のために有線による充電を必要とする装置を充電するために使用されることができる。人が携帯することを望むが、しかし電力ケーブルを必要とするより古い携帯電話を充電する必要があるシナリオを検討する。いくつかの都合の良い時間（例えば、会議において座っている間、テレビを見ている間、電話で話している間など）に、人が有線による充電を必要とする装置を接続することができるプラグを有する装着可能バッテリ又は他の装着可能電力貯蔵ユニット（例えば電気化学キャパシタ（ウルトラキャパシタ、スーパーキャパシタなど））を充電するために、人は、（指キャップを装備している）指を無線充電ユニット１０１の上又はそばに置くことができるであろう。図３の（もしくは同様の）実施例が有益であり得るさらに別のシナリオは、エネルギーをいくつかの外部装置に伝送するために指キャップ又は同様の“近距離の”構成を使用することが必要であり得る場合に、規制機関が本発明の実施例により提供されるエネルギーの無線伝送を非常に小さな距離に制限する場合である。
【００２８】
図４は、本発明の別の実施例による無線充電システム４００の正面図である。図４において例示されたように、無線充電システム４００は、無線充電ユニット１０１、及び無線充電ユニットが取り付けられることが可能である装着可能アイテム４５０を備える。図４において、装着可能アイテム４５０は、ズボン１着であるとして描写される。無線充電ユニット１０１は、何らかの方法で、恐らく内部のポケット若しくは隠されたポケット（図示せず）に設置されることによって、又は裏地に縫いつけられることによって、ズボンに取り付けられる。示された構成のような構成は、充電ユニットを外部電子装置のありそうな場所の近くに設置することにより損失を減少させ、したがって効率的な充電のために必要とされる電力を減少させる傾向がある。
【００２９】
ズボンの他に、帽子、手袋、及び他の上着、バックパック、宝石類、腕章など、他の衣類品を含む多くの他のアイテムが、同様に、“装着可能アイテム”としてここで参照されるものとして適当である。“装着可能アイテム”の指定は、身体の一部分に、又は衣類若しくは以前に言及されたアイテムのうちのいずれかに装着されるパッチなどにさえも、要するに人間の身体に装着されることができる、とにかく何にでも及ぶ。
【００３０】
例示された実施例において、装着可能アイテム４５０は、人間の身体により生成される振動エネルギー、熱エネルギー、力学的エネルギーなどを含むあらゆる種類のエネルギーを収集する（例えば、獲得する、保存する、そして再分配する）ことが可能であるエネルギーハーベスティングユニット４５１を備える。したがって、収集されたエネルギーは、装着可能アイテムに組み込まれる電線又は他の導体４５３を介して無線充電ユニット１０１に伝送され得る。このようにエネルギーを供給されると、無線充電ユニット１０１は、以前に説明された実施例と同様に、無線でエネルギーを外部電子装置に伝送し得る。上記で言及されたように、いくつかのそのような装置は、装着可能アイテム４５０のポケット４５５内に少なくとも一時的に格納されるか又はポケット４５５に入れて運ばれそうであり得るとともに、そうしたときに、無線充電ユニット１０１により無線で伝送されるエネルギーを受け取ることによって、したがって効率的かつ容易に無線で充電され得る。その代りに、無線充電ユニット１０１からのエネルギーは、図３に関連して説明された方法と似ている方法で、接続電線を介して外部電子装置に伝送され得る。
【００３１】
いくつかの実施例において、装着可能アイテム４５０は、無線充電ユニットと、装着可能アイテム４５０を装着し、そして無線充電システム４００を使用する人の身体との間に位置付けられるように配置される導電性遮蔽パッチ４５７を備える。そのような遮蔽物は、伝送されるエネルギーが装着可能アイテム４５０を装着している人の細胞組織に到達することを防止することが必要であるか、又は望ましい状況において使用され得る。
【００３２】
本発明が特定の実施例を参照して説明されたが、様々な変更が発明の精神又は範囲からはずれずに行われ得るということが当業者によって理解されることになる。したがって、本発明の実施例の開示は、本発明の範囲の実例となることを意図しており、限定することを意図していない。本発明の範囲は、添付された特許請求の範囲により必要とされる範囲のみに限定されるべきであるということが意図される。例えば、当業者には、ここで論じられた無線充電システムと関連の構造、及び方法が、様々な実施例で実行され得るということ、そしてこれらの実施例のうちのいくつかの上述の議論が全ての可能な実施例の完全な説明を必ずしも表すとは限らないということが、容易に明白であろう。
【００３３】
さらに、利益、他の利点、及び問題に対する解決法が、特定の実施例に関して説明された。しかしながら、利益、利点、及び問題に対する解決法、そして利益、利点、及び解決法を発生させるか又はより顕著にさせるあらゆる要素又は複数の要素は、請求項のいくつか又は全ての重要な、必須である、又は必要不可欠な特徴又は要素と解釈されるべきではない。
【００３４】
さらに、ここで開示された実施例及び限定事項は、もし実施例及び／又は限定事項が、（１）請求項において明確に要求されない場合、そして（２）等価物の原則に従い請求項における明示された要素及び／又は限定事項の等価物であるか、又は潜在的に等価物である場合、発明の公開の原則に従い公衆に献呈されない。
【符号の説明】
【００３５】
１００    無線充電システム
１０１    無線充電ユニット
１１０    マイクロ電子パッケージ
１２０    システムオンチップ
１２１    処理装置
１２２    メモリ装置
１２３    通信装置
１２７    ソフトウェアプロトコル
１３０    外部電子装置
１４０    エネルギー伝送ユニット
１４１    エネルギー伝送サブユニット
２２０    マットレスパッド
２３０    マットレス
２４０    ベッドフレーム
３１０    誘導充電ユニット
３１１    電線
４００    無線充電システム
４５０    装着可能アイテム
４５１    エネルギーハーベスティングユニット
４５３    導体
４５５    ポケット
４５７    導電性遮蔽パッチ
【図１】
2016182035.tif 000003
【図２ａ】
2016182035.tif 000004
【図２ｂ】
2016182035.tif 000005
【図３】
2016182035.tif 000006
【図４】
2016182035.tif 000007
【外国語明細書】
2016182035000001.pdf